(57)【要約】空気調和機の室内機（１００）はバックプレート部材（１）と、トップカバー部材（５）と、パネル部材（２）とを含み、パネル部材（２）は、第１吹出口（２１１a）及び第２吹出口（２１１b）が設けられる第１パネル（２１）と、第１パネル（２１）の下に設けられ、第１パネル（２１）とともに独立して加工された成形部材である第２パネル（２２）と、ガイド溝（２３１）が設けられる開閉板取付板（２３）と、開閉板取付板（２３）に対して移動可能であり第１吹出口（２１１a）を開閉する開閉板（２４）を含み、開閉板（２４）にガイドコラム（２４１）が設けられ、ガイドコラム（２４１）がガイド溝（２３１）内に挿入されてガイド溝（２３１）に対しスライド可能である。【選択図】図２
2021519903.tif 000002
【特許請求の範囲】
【請求項１】
バックプレート部材と、
一部が前記バックプレート部材の頂壁に接続されるトップカバー部材と、
パネル部材と、
を含み、
前記パネル部材は、第１パネルと、第２パネルと、開閉板取付板と、開閉板とを含み、
前記第１パネルは前記バックプレート部材の前側に位置し、かつ前記バックプレート部材に接続され、上端が前記トップカバー部材の他の一部に接続され、上下方向に順次配列される第１吹出口及び第２吹出口が設けられ、
前記第２パネルは第１パネルの下に設けられ、前記第１パネルの下端及び前記バックプレート部材にそれぞれ接続され、前記第２パネルと前記第１パネルとは独立して加工された成形部材であり、
前記開閉板取付板は前記第１パネルの後側に設けられ、ガイド溝が設けられ、
前記開閉板は前記第１パネルと前記開閉板取付板との間に設けられ、前記開閉板取付板に対して移動可能であって前記第１吹出口を開閉し、前記開閉板にはガイドコラムが設けられ、前記ガイドコラムは前記ガイド溝内に挿入されて前記ガイド溝に対してスライド可能である、
ことを特徴とする空気調和機の室内機。
【請求項２】
前記ガイド溝の少なくとも一部が、前記第１パネルに近接する方向に向かって斜め下に延在し、前記ガイドコラムが前記ガイド溝の傾斜部分までスライドしたとき、前記開閉板が前記第１吹出口を閉じる、
ことを特徴とする請求項１に記載の空気調和機の室内機。
【請求項３】
位置制限接続部材をさらに含み、
前記位置制限接続部材の一端が前記開閉板取付板にスライド可能に設けられ、前記位置制限接続部材の他端が前記開閉板に回動可能に設けられ、前記位置制限接続部材により前記開閉板を連動して移動させる、
ことを特徴とする請求項２に記載の空気調和機の室内機。
【請求項４】
駆動機構をさらに含み、
前記駆動機構は前記位置制限接続部材に接続され、前記位置制限接続部材がスライドして前記開閉板を連動して移動させるように、前記位置制限接続部材を駆動する、
ことを特徴とする請求項３に記載の空気調和機の室内機。
【請求項５】
前記駆動機構は、
前記開閉板取付板に設けられる駆動部材と、
前記駆動部材に接続され、前記駆動部材により駆動されて回動する駆動ギアと、
前記位置制限接続部材に接続され、前記駆動ギアと噛み合って前記位置制限接続部材を駆動してスライドさせるラックと、
を含む、
ことを特徴とする請求項４に記載の空気調和機の室内機。
【請求項６】
前記第１パネルの前記バックプレート部材に向いている側に係合フックが設けられ、前記バックプレート部材に前記係合フックを挿入可能な係合バックルが設けられる、
ことを特徴とする請求項１〜５のいずれか一項に記載の空気調和機の室内機。
【請求項７】
前記係合フックが水平延在セクション及び鉛直延在セクションを含み、前記水平延在セクションの一端が前記第１パネルに設けられ、前記水平延在セクションの他端が前記鉛直延在セクションの上端に接続され、前記鉛直延在セクションの下端が前記係合バックル内に挿入可能である、
ことを特徴とする請求項６に記載の空気調和機の室内機。
【請求項８】
前記係合バックルは、中空構造に形成されている、
ことを特徴とする請求項６に記載の空気調和機の室内機。
【請求項９】
前記第１パネルの前記バックプレート部材に向いている側の頂部に、前記バックプレート部材に向かって延在する延在部が設けられ、前記延在部の下端に位置決めコラムが設けられ、前記バックプレート部材の頂部に位置決め穴が設けられ、前記位置決めコラムが前記位置決め穴内に挿入可能である、
ことを特徴とする請求項１〜８のいずれか一項に記載の空気調和機の室内機。
【請求項１０】
前記延在部に第１係合穴が設けられ、前記バックプレート部材に第２係合穴が設けられ、前記第２係合穴と前記第１係合穴とが正対して設置され、前記空気調和機の室内機が第１接続部材をさらに含み、前記第１接続部材が前記第１係合穴及び前記第２係合穴を貫通して前記第１パネルと前記バックプレート部材とを接続する、
ことを特徴とする請求項９に記載の空気調和機の室内機。
【請求項１１】
前記第１パネルの前記バックプレート部材に向いている側の底部に、前記バックプレート部材に向かって延在する位置決めピンが設けられ、前記バックプレート部材に位置決めジャックが設けられ、前記位置決めピンが前記位置決めジャック内に挿入可能である、
ことを特徴とする請求項１〜１０のいずれか一項に記載の空気調和機の室内機。
【請求項１２】
前記第１パネルに第３係合穴が設けられ、前記第３係合穴が前記位置決めピンに近接して設けられ、前記バックプレート部材に第４係合穴が設けられ、前記第４係合穴と前記第３係合穴とが正対して設置され、前記空気調和機の室内機が第２接続部材をさらに含み、前記第２接続部材が前記第３係合穴及び前記第４係合穴を貫通して前記第１パネルと前記バックプレート部材とを接続する、
ことを特徴とする請求項１１に記載の空気調和機の室内機。
【請求項１３】
前記パネル部材は開閉部材をさらに含み、前記開閉部材が前後に移動可能であって前記第２吹出口を開閉し、前記開閉部材が前方へ第２吹出口の前側まで移動したとき、前記開閉部材が前記第２吹出口を開く、
ことを特徴とする請求項１〜１２のいずれか一項に記載の空気調和機の室内機。
【請求項１４】
前記第１パネルの頂部には間隔をあけて配置される複数の第１補強リブが設けられる、
ことを特徴とする請求項１〜１３のいずれか一項に記載の空気調和機の室内機。
【請求項１５】
前記第１パネルの外観面は曲面に形成されている、
ことを特徴とする請求項１〜１４のいずれか一項に記載の空気調和機の室内機。
【発明の詳細な説明】
【技術分野】
【０００１】
本願は出願番号が２０１９２０２３９５５８.３、２０１９１０１４３７２６.３、出願日が２０１９年２月２５日である中国特許出願に基づいて提出され、２つの該中国特許出願の優先権を主張し、その内容の全てを参照として本願に援用する。
【０００２】
本願は空気処理装置の分野に関し、特に空気調和機の室内機に関する。
【背景技術】
【０００３】
従来の空気調和機の室内機の製品において、パネル部材のフロントパネルはほとんどが一体成形された部品であり、製造工程において射出成形金型のサイズが大きく、コストが高い。同時に、フロントパネルの射出成形に長い時間が必要で、パネル部材の生産効率に影響を及ぼす。また、フロントパネルは変形量も大きく、廃棄率が高くなる。一方、空気調和機の室内機においてパネル部材の吹出口を開閉するための開閉板の動作が十分に安定しておらず、空気調和機の室内機の信頼性にある程度の影響を与える。同時に、空気調和機の室内機の送風形式が単一で、ユーザーの使用ニーズを満たすことができない。
【発明の概要】
【０００４】
本願は、従来の技術に存在する技術的問題の少なくとも一つを解決することを意図している。したがって、本願の目的は、パネル部材の製造コストが低く、生産効率が高く、歩留まりが高いとともに、開閉板が安定した動作を有し、空気調和機の室内機の信頼性を向上させ、異なる送風効果を実現可能で、ユーザーの使用ニーズをある程度満たす空気調和機の室内機を提供することである。
【０００５】
本願の実施例に係る空気調和機の室内機は、バックプレート部材と、一部が前記バックプレート部材の頂壁に接続されるトップカバー部材と、パネル部材と、を含み、前記パネル部材は、第１パネルと、第２パネルと、開閉板取付板と、開閉板とを含み、前記第１パネルは前記バックプレート部材の前側に位置し、かつ前記バックプレート部材に接続され、上端が前記トップカバー部材の他の一部に接続され、上下方向に順次配列される第１吹出口及び第２吹出口が設けられ、前記第２パネルは第１パネルの下に設けられ、前記第１パネルの下端及び前記バックプレート部材にそれぞれ接続され、前記第２パネルと前記第１パネルとは独立して加工された成形部材であり、前記開閉板取付板は前記第１パネルの後側に設けられ、ガイド溝が設けられ、前記開閉板は前記第１パネルと前記開閉板取付板との間に設けられ、前記開閉板取付板に対して移動可能であって前記第１吹出口を開閉し、前記開閉板にはガイドコラムが設けられ、前記ガイドコラムは前記ガイド溝内に挿入されて前記ガイド溝に対してスライド可能である。
【０００６】
本願の実施例に係る空気調和機の室内機は、パネル部材が独立して成形された第１パネル及び第２パネルを含むことにより、パネル部材の製造に必要な金型のサイズ及びコストをある程度削減することができ、パネル部材の射出成形に必要な冷却及び固化時間を短縮することができ、パネル部材の生産効率を向上させる。同時に、第１パネル及び第２パネルのサイズが大きいことにより変形量が大きいという問題を、ある程度回避することができ、第１パネル及び第２パネルの歩留まりを向上させる。第１パネルに第１吹出口及び第２吹出口を上下方向に順次配置させることにより、異なる送風効果を達成し、ユーザーの使用ニーズをある程度満たすことができる。空気調和機の室内機の吹出効率を向上させ、空気調和機の室内機の送風範囲を広めることもできる。パネル部材が開閉板取付板及び開閉板を含むことにより、開閉板が開閉板取付板に対して移動可能であり第１吹出口を開閉するとともに、開閉板取付板にガイド溝が設けられ、開閉板にガイドコラムが設けられ、ガイドコラムがガイド溝内に挿入されてガイド溝に対してスライド可能である。これにより、空気調和機の室内機に対し、一定の密閉の役割を果たし、室内の塵埃などの粒子が第１吹出口から空気調和機の室内機の内部に侵入することを防止することができる。同時に、開閉板と開閉板取付板の係合構造をより強固にし、開閉板の動作をより安定させ、パネル部材の信頼性を向上させ、空気調和機の室内機の信頼性を向上させることができる。
【０００７】
本願のいくつかの実施例によれば、前記ガイド溝の少なくとも一部が前記第１パネルに近接する方向に向かって斜め下に延在し、前記ガイドコラムが前記ガイド溝の傾斜部分までスライドしたとき、前記開閉板が前記第１吹出口を閉じる。
【０００８】
本願のいくつかの実施例では、前記空気調和機の室内機はさらに位置制限接続部材を含み、前記位置制限接続部材の一端が前記開閉板取付板にスライド可能に設けられ、前記位置制限接続部材の他端が前記開閉板に回動可能に設けられ、前記位置制限接続部材により、前記開閉板を連動して移動させる。
【０００９】
空気調和機の室内機はさらに駆動機構をさらに含み、前記駆動機構は前記位置制限接続部材に接続され、前記位置制限接続部材がスライドして前記開閉板を連動して移動させるように、前記位置制限接続部材を駆動する。
【００１０】
具体的に、前記駆動機構は、前記開閉板取付板に設けられる駆動部材と、前記駆動部材に接続され、前記駆動部材により駆動されて回動する駆動ギアと、前記位置制限接続部材に接続され、前記駆動ギアと噛み合って前記位置制限接続部材を駆動してスライドさせるラックと、を含む。
【００１１】
本願のいくつかの実施例によれば、前記第１パネルの前記バックプレート部材に向いている側に係合フックが設けられ、前記バックプレート部材に前記係合フックを挿入可能な係合バックルが設けられる。
【００１２】
本願のいくつかの実施例では、前記係合フックが水平延在セクション及び鉛直延在セクションを含み、前記水平延在セクションの一端が前記第１パネルに設けられ、前記水平延在セクションの他端が前記鉛直延在セクションの上端に接続され、前記鉛直延在セクションの下端が前記係合バックル内に挿入可能である。
【００１３】
本願のいくつかの実施例では、前記係合バックルは、中空構造に形成されている。
【００１４】
本願のいくつかの実施例によれば、前記第１パネルの前記バックプレート部材に向いている側の頂部に前記バックプレート部材に向かって延在する延在部が設けられ、前記延在部の下端に位置決めコラムが設けられ、前記バックプレート部材の頂部に位置決め穴が設けられ、前記位置決めコラムが前記位置決め穴内に挿入可能である。
【００１５】
本願のいくつかの実施例では、前記延在部に第１係合穴が設けられ、前記バックプレート部材に第２係合穴が設けられ、前記第２係合穴と前記第１係合穴とが正対して設置され、前記空気調和機の室内機はさらに第１接続部材を含み、前記第１接続部材が前記第１係合穴及び前記第２係合穴を貫通して前記第１パネルと前記バックプレート部材とを接続する。
【００１６】
本願のいくつかの実施例によれば、前記第１パネルの前記バックプレート部材に向いている側の底部に前記バックプレート部材に向かって延在する位置決めピンが設けられ、前記バックプレート部材に位置決めジャックが設けられ、前記位置決めピンが前記位置決めジャック内に挿入可能である。
【００１７】
本願のいくつかの実施例では、前記第１パネルに第３係合穴が設けられ、前記第３係合穴が前記位置決めピンに近接して設けられ、前記バックプレート部材に第４係合穴が設けられ、前記第４係合穴と前記第３係合穴とが正対して設置され、前記空気調和機の室内機はさらに第２接続部材を含み、前記第２接続部材が前記第３係合穴及び前記第４係合穴を貫通して前記第１パネルと前記バックプレート部材とを接続する。
【００１８】
本願のいくつかの実施例によれば、前記パネル部材はさらに開閉部材を含み、前記開閉部材が前後に移動可能であって前記第２吹出口を開閉し、前記開閉部材が前方へ第２吹出口の前側まで移動したとき、前記開閉部材が前記第２吹出口を開く。
【００１９】
本願のいくつかの実施例によれば、前記第１パネルの頂部には間隔をあけて配置される複数の第１補強リブが設けられる。
【００２０】
本願のいくつかの実施例によれば、前記第１パネルの外観面は曲面に形成されている。
【００２１】
本願の追加の態様及び利点は、以下の説明において部分的に提供され、一部が以下の説明から明らかになるか、又は本願の実践から分かる。
【図面の簡単な説明】
【００２２】
本願の上記及び／又は追加の態様及び利点は、以下の図面を参照した実施例の説明から明らかになり、理解しやすくなる。
【図１】図１は本願のいくつかの実施例に係る空気調和機の室内機の概略図である。
【図２】図２は本願のいくつかの実施例に係るパネル部材の部分分解図である。
【図３】図３は図２におけるＫ部分の拡大図である。
【図４】図４は本願のいくつかの実施例に係る空気調和機の室内機の部分分解図である。
【図５】図５は図４におけるＡ部分の拡大図である。
【図６】図６は図４におけるＢ部分の拡大図である。
【図７】図７は本願のいくつかの実施例に係る第２パネルの概略図である。
【図８】図８は本願のいくつかの実施例に係る第１パネルの概略図である。
【図９】図９は本願のいくつかの実施例に係る空気調和機の室内機の断面図である。
【図１０】図１０は図４におけるＣ部分の拡大図である。
【図１１】図１１は本願のいくつかの実施例に係る空気調和機の室内機の部分概略図である。
【図１２】図１２は図１１におけるＩ部分の拡大図である。
【図１３】図１３は図８におけるＦ部分の拡大図である。
【図１４】図１４は図４におけるＤ部分の拡大図である。
【図１５】図１５は図８におけるＥ部分の拡大図である。
【図１６】図１６は本願のいくつかの実施例に係る空気調和機の室内機の部分概略図である。
【図１７】図１７は図１６におけるＧ部分の拡大図である。
【図１８】図１８は図１６におけるＨ部分の拡大図である。
【図１９】図１９は図１１におけるＪ部分の拡大図である。
【図２０】図２０は本願のいくつかの実施例に係る空気調和機の室内機の部分分解図である。
【図２１】図２１は本願のいくつかの実施例に係る空気調和機の室内機の部分構造の拡大図である。
【図２２】図２２は本願のいくつかの実施例に係る第２パネルの概略図である。
【図２３】図２３は図２２におけるＭ部分の拡大図である。
【発明を実施するための形態】
【００２３】
以下、本願の実施例を詳細に説明し、前記実施例の例は、図面に示され、同じ又は類似した符号は、一貫して同じ又は類似した素子或いは同じ又は類似した機能を有する素子を示す。以下、図面を参照しながら説明する実施例は、例示的なものであり、本願を解釈することを意図するが、本願を制限するものとして理解すべきではない。
【００２４】
以下、添付の図面を参照しながら本願の実施例に係る空気調和機の室内機１００を説明するが、空気調和機の室内機１００は壁掛型又は床置型であってもよい。
【００２５】
図１及び図２に示すように、本願の実施例に係る空気調和機の室内機１００は、バックプレート部材１、トップカバー部材５及びパネル部材２を含む。
【００２６】
具体的には、トップカバー部材５の一部はバックプレート部材１の頂壁に接続される。パネル部材２は第１パネル２１、第２パネル２２、開閉板取付板２３及び開閉板２４を含む。
【００２７】
第１パネル２１の上端はトップカバー部材５の他の一部に接続される。したがって、トップカバー部材５はそれぞれバックプレート部材１及び第１パネル２１に接続されることが分かる。
【００２８】
第１パネル２１がバックプレート部材１の前側に設けられかつバックプレート部材１に接続され、第１パネル２１に上下方向に沿って順次配列した第１吹出口２１１a及び第２吹出口２１１bが設けられる。第２パネル２２が第１パネル２１の下に設けられ、第２パネル２２がそれぞれ第１パネル２１の下端及びバックプレート部材１に接続され、第２パネル２２及び第１パネル２１は独立して加工された成形部材である。したがって、第１パネル２１はそれぞれトップカバー部材５、バックプレート部材１及び第２パネル２２に接続されることが分かる。これにより、第１パネル２１の位置の信頼性を確保することができる。第１パネル２１が第２パネル２２の上側に設けられ、第１パネル２１に第１吹出口２１１a及び第２吹出口２１１bが設けられ、これにより空気調和機の室内機１００がパネル部材２の上側から風を吹き出す。即ち、本願の実施例に係る空気調和機の室内機１００は第１吹出口２１１a及び第２吹出口２１１bを介して室内空間に同時に送風してもよく、第１吹出口２１１aを介して独立して送風してもよく、第２吹出口２１１bから独立して送風してもよく、異なる送風効果を達成し、室内環境の快適性を改善し、ユーザーの使用ニーズにある程度対応できる。また、空気調和機の室内機１００の吹出効率を向上させ、空気調和機の室内機１００の送風範囲を広めることができる。
【００２９】
第１パネル２１は第２パネル２２とともにパネル部材２のフロントパネルを構成することも分かる。したがって、従来技術における一体的に形成されたフロントパネルと比較して、本願の実施例に係る空気調和機の室内機１００において、パネル部材２の製造に必要な金型のサイズ及びコストをある程度削減することができ、第１パネル２１及び第２パネル２２の射出成形時間がより短く、即ちパネル部材２の射出成形に必要な冷却及び固化時間を短縮することができ、パネル部材の生産効率が向上する。同時に、第１パネル２１及び第２パネル２２は独立して成形されるため、第１パネル２１および第２パネル２２のサイズが大きくて変形量が大きい問題を回避し、第１パネル２１及び第２パネル２２の歩留まりをさらに高めることができる。
【００３０】
開閉板取付板２３が第１パネル２１の後側に設けられ、開閉板取付板２３にガイド溝２３１が設けられる。開閉板２４が第１パネル２１と開閉板取付板２３との間に設けられ、開閉板２４が開閉板取付板２３に対して移動可能であり第１吹出口２１１aを開閉する。開閉板２４にガイドコラム２４１が設けられ、ガイドコラム２４１がガイド溝２３１内に挿入されてガイド溝２３１に対してスライド可能である。これにより、空気調和機の室内機１００が動作し始めるとき、開閉板２４が開閉板取付板２３に対して順方向（例えば上方へ）に移動して第１吹出口２１１aを開くことができ、熱交換が完了した熱交換気流が、第１吹出口２１１ａを通じて室内空間に循環することができる。空気調和機の室内機１００の動作が停止するとき、開閉板２４が開閉板取付板２３に対して逆方向（例えば下へ）に移動して第１吹出口２１１aを閉じることができ、したがって、第１吹出口２１１aに対して、一定の密閉役割を果たし、室内の塵埃などの粒子が第１吹出口２１１ａから空調室内機１００の内部に侵入することを防止する。
【００３１】
ガイドコラム２４１とガイド溝２３１とを配置することにより、ガイドコラム２４１をガイド溝２３１内に挿入可能であり、開閉板２４が開閉板取付板２３に対して移動するとき、ガイドコラム２４１がガイド溝２３１とスライド可能に係合することができる。開閉板２４と開閉板取付板２３との係合構造をより強固にし、開閉板２４の動作をより安定させる。パネル部材２の信頼性を向上させ、空気調和機の室内機１００の信頼性を向上させる。
【００３２】
本願の実施例に係る空気調和機の室内機１００は、パネル部材２が独立して成形された第１パネル２１及び第２パネル２２を含むことにより、パネル部材２の製造に必要な金型のサイズ及びコストをある程度削減することができ、パネル部材２の射出成形に必要な冷却及び固化時間を短縮することができ、パネル部材の生産効率を向上させる。同時に、第１パネル２１及び第２パネル２２のサイズが大きいことにより変形量が大きいという問題を回避し、第１パネル２１及び第２パネル２２の歩留まりをさらに高めることができる。第１パネル２１に上下方向に順次に配列される第１吹出口２１１a及び第２吹出口２１１bが設けられる。異なる送風効果を実現可能で、空気調和機の室内機１００の吹出効率を高め、空気調和機の室内機１００の送風範囲を広めることができる。パネル部材２が開閉板取付板２３及び開閉板２４を含むことにより、開閉板２４が開閉板取付板２３に対して移動可能であり第１吹出口２１１aを開閉するとともに、開閉板取付板２３にガイド溝２３１が設けられ、開閉板２４にガイドコラム２４１が設けられ、ガイドコラム２４１がガイド溝２３１内に挿入されてガイド溝２３１に対しスライド可能である。これにより、空気調和機の室内機１００に対して一定の密閉の役割を果たし、室内の塵埃などの粒子が、第１吹出口２１１ａから空調室内機１００の内部に侵入することを防止する。同時に、開閉板２４と開閉板取付板２３との係合構造をより強固にし、開閉板２４の動作をより安定させ、パネル部材２の信頼性を向上させ、空気調和機の室内機１００の信頼性を向上させることができる。
【００３３】
図３に示すように、本願のいくつかの実施例によれば、ガイド溝２３１の少なくとも一部が第１パネル２１に近づくように斜め下に向かって延在し、ガイドコラム２４１がガイド溝２３１の傾斜部分までスライドしたとき、開閉板２４が第１吹出口２１１aを閉じる。したがって、開閉板２４が開閉板取付板２３に対して上方へ移動し、第１吹出口２１１aを開け、開閉板２４が開閉板取付板２３に対して上方へ移動し、第１吹出口２１１aを閉じることが分かる。開閉板２４が第１吹出口２１１aを閉じるとき、開閉板２４が開閉板取付板２３に対して下へ移動して最後に前下へ移動する。
【００３４】
例えば、図３に示すように、ガイド溝２３１は第１ガイド部２３１a及び第２ガイド部２３１bを含んでもよい。第１ガイド部２３１aが上下方向に鉛直延在してもよく、第２ガイド部２３１bが第１ガイド部２３１aの下に設けられてもよく、第２ガイド部２３１bが第１吹出口２１１aに近づくように斜め下に向かって延在してもよい。開閉板２４が第１吹出口２１１aを閉じるとき、開閉板２４がまず第１ガイド部２３１aに沿って上から下へスライドすることができる。開閉板２４が第２ガイド部２３１bまでスライドしたとき、第２ガイド部２３１bが開閉板２４をガイドして第１吹出口２１１aに近づくようにスライドさせ、開閉板２４と第１吹出口２１１aとの間の距離を短縮することができる。これにより、上記配置により、開閉板２４と第１吹出口２１１aとの間の密閉効果を向上させるとともに、開閉板２４の動作抵抗を軽減し、開閉板２４の動作をより順調にする。
【００３５】
必要に応じて、図２に示すように、ガイド溝２３１が２つ設けられてもよく、２つのガイド溝２３１が開閉板取付板２３の幅方向に間隔をあけて配置されてもよく、開閉板２４の左右側壁にそれぞれガイドコラム２４１が設けられてもよく、例えば、各側に２つずつ設けられる。開閉板２４と開閉板取付板２３とを組み立てるとき、開閉板２４の左右側壁におけるガイドコラム２４１がそれぞれ対応するガイド溝２３１内に挿入可能であり、開閉板２４と開閉板取付板２３との間の多点接続を達成し、開閉板２４の動作をより安定させることができる。
【００３６】
本願のいくつかの実施例では、図２１に示すように、空気調和機の室内機１００はさらに位置制限接続部材６を含み、位置制限接続部材６の一端が開閉板取付板２３にスライド可能に設けられ、位置制限接続部材６の他端が開閉板２４に回動可能に設けられかつ位置制限接続部材６により開閉板２４を移動させる。このことから、開閉板２４が開閉板取付板２３に対して移動して第１吹出口２１１aを開閉し、かつ位置制限接続部材６に連動して移動することが分かる。
【００３７】
さらに、図２に示すように、空気調和機の室内機１００はさらに駆動機構４０を含み、駆動機構４０が位置制限接続部材６に接続され、位置制限接続部材６を駆動してスライドさせることにより、開閉板２４を連動して移動させる。したがって、開閉板２４が第１吹出口２１１aを開閉することは、駆動機構４０により位置制限接続部材６がスライドするように駆動され、位置制限接続部材６により開閉板２４を移動させることにより達成されたことが分かる。これにより、開閉板２４の自動的な制御を達成し、空気調和機の室内機１００の使用をより容易にする。例えば、駆動機構４０と空気調和機のリモコンとが通信接続され、空気調和機のリモコンを操作して、駆動機構４０の動作状態を制御し、第１吹出口２１１aを自動的に開閉する。
【００３８】
具体的に、図２に示すように、駆動機構４０は、駆動部材（図示せず）、駆動ギア４０１及びラック４０２を含む。駆動部材は開閉板取付板２３に設けられる。駆動ギア４０１は駆動部材と接続して駆動部材により回転される。ラック４０２と位置制限接続部材６とが接続され、ラック４０２と駆動ギア４０１とが噛み合って位置制限接続部材６をスライドさせる。したがって、上記配置により、駆動機構４０の構造設計をより簡単にすることができる。さらに、ラック４０２アンドピニオン機構の動作はより安定的で、開閉板２４の動作安定性を改善することができる。
【００３９】
必要に応じて、駆動部材はステッピングモータであってもよく、ステッピングモータは、動作上安定的で、その回転角度及び回転数を正確に制御することができ、これにより、駆動部材の回転数を制御することによって、開閉板２４の移動変位を正確に制御し、したがって、開閉板２４が第１吹出口２１１aを完全に開閉することができる。
【００４０】
図２に示される具体的な例では、駆動ギア４０１はさらに駆動ギア４０１a及び従動ギア４０１bを含み、駆動ギア４０１aが駆動部材と接続して駆動部材により回転され、従動ギア４０１bが同時に駆動ギア４０１a及びラック４０２と噛み合い、従動ギア４０１bが動力を伝達することができ、これにより、駆動ギア４０１aと従動ギア４０１bとが互いに係合してラック４０２の動作速度を調整し、ラック４０２の動作安定性を向上させることができる。
【００４１】
本願のいくつかの実施例によれば、図８に示すように、第１パネル２１のバックプレート部材１に向いている側に係合フック２１８が設けられ、図１１及び図１２に示すように、バックプレート部材１に係合フック２１８を挿入可能な係合バックル１５が設けられる。このことから、第１パネル２１は係合フック２１８と係合バックル１５との係合により、バックプレート部材１に接続されることが分かる。第１パネル２１とバックプレート部材１との接続方式をより簡単化、確実にする。
【００４２】
図１５に示すように、本願のいくつかの実施例では、係合フック２１８は水平延在セクション２１８a及び鉛直延在セクション２１８bを含み、水平延在セクション２１８aの一端が第１パネル２１に設けられ、水平延在セクション２１８aの他端が鉛直延在セクション２１８bの上端に接続され、鉛直延在セクション２１８bの下端が係合バックル１５内に挿入可能である。したがって、係合フック２１８は略「７」字形構造に形成され、係合フック２１８の構造がシンプルで、製造しやすい。第１パネル２１とバックプレート部材１とを係合させるとき、鉛直延在セクション２１８bの下端と係合バックル１５とを係合し、第１パネル２１を下へプッシュし、鉛直延在セクション２１８bを係合バックル１５内に全部挿入して係合バックル１５に確実に引っ掛ける。係合フック２１８と係合バックル１５との係合により、予備的位置決めの役割を果たし、第１パネル２１とバックプレート部材１との係合接続をより確実にし、空気調和機の室内機１００の信頼性を向上させることができる。
【００４３】
本願のいくつかの実施例では、図１５に示すように、係合バックル１５は、中空構造に形成される。したがって、係合フック２１８の強度を向上させ、第１パネル２１とバックプレート部材１との接合部の強度を向上させるとともに、第１パネル２１の材料使用量を削減させ、コストを削減させる。
【００４４】
本願のいくつかの実施例によれば、図４及び図１０に示すように、第１パネル２１のバックプレート部材１に向いている側の頂部に、バックプレート部材１に向かって延びている延在部２１５が設けられ、延在部２１５の下端に位置決めコラム２１５aが設けられ、図１１及び図１２に示すように、バックプレート部材１の頂部に位置決め穴１１が設けられ、位置決めコラム２１５aが位置決め穴１１内に挿入可能である。このことから、第１パネル２１は位置決めコラム２１５aと位置決め穴１１との係合によりバックプレート部材１に接続されることが分かる。係合による接続方式は簡単で、操作しやすく、第１パネル２１がバックプレート部材１に接続される確実性を向上させる。
【００４５】
本願のいくつかの実施例では、図１０に示すように、延在部２１５に第１係合穴２１５bが設けられ、図１２に示すように、バックプレート部材１に第２係合穴１２が設けられ、第２係合穴１２と第１係合穴２１５bとが正対して設置され、空気調和機の室内機１００はさらに第１接続部材を含み、第１接続部材が第１係合穴２１５b及び第２係合穴１２を貫通して第１パネル２１及びバックプレート部材１に接続される。このことから、第１接続部材を第１係合穴２１５b及び第２係合穴１２に貫通させる前に、延在部２１５における位置決めコラム２１５aを、バックプレート部材１における位置決め穴１１内に挿入させ、バックプレート部材１に対する延在部２１５の位置を実質的に安定させることができ、このとき、第１係合穴２１５bが第２係合穴１２に正対し、第１接続部材が第１係合穴２１５b及び第２係合穴１２を貫通しやすく、第１パネル２１とバックプレート部材１との間の組み立て効率を高めることが分かる。
【００４６】
本願のいくつかの実施例によれば、図８及び図１３に示すように、第１パネル２１のバックプレート部材１に向いている側の底部に、バックプレート部材１に向かって延びている位置決めピン２１６が設けられ、図４及び図１４に示すように、バックプレート部材１に位置決めジャック１３が設けられ、位置決めピン２１６が位置決めジャック１３内に挿入可能である。このことから、位置決めピン２１６と位置決めジャック１３との係合により、第１パネル２１の底部がバックプレート部材１に接続され、接続方式が簡単で、確実であり、着脱しやすいことが分かる。同時に、位置決めピン２１６も一定の予備的位置決めの役割を果たし、第１パネル２１とバックプレート部材１との組み立て効率を高める。
【００４７】
本願のいくつかの実施例では、図１３に示すように、第１パネル２１に第３係合穴２１７が設けられ、第３係合穴２１７が位置決めピン２１６に近接して設けられ、図１４に示すように、バックプレート部材１に第４係合穴１４が設けられ、第４係合穴１４が第３係合穴２１７と正対して設置され、空気調和機の室内機１００が第２接続部材をさらに含み、第２接続部材が第３係合穴２１７及び第４係合穴１４を貫通して第１パネル２１及びバックプレート部材１に接続される。このことから、第２接続部材を第３係合穴２１７及び第４係合穴１４から貫通する前に、まず第１パネル２１における位置決めピン２１６をバックプレート部材１における位置決めジャック１３内に挿入し、バックプレート部材１に対する第１パネル２１の位置を実質的に安定させ、このとき、第３係合穴２１７が第４係合穴１４に正対し、第２接続部材が第３係合穴２１７及び第４係合穴１４を貫通しやすく、第１パネル２１とバックプレート部材１との組み立て効率を向上させることができる。同時に、第１パネル２１の底部をバックプレート部材１に安定して接続させる。
【００４８】
図２に示すように、本願のいくつかの実施例によれば、パネル部材２はさらに開閉部材２５を含み、開閉部材２５が前後に移動可能であり、第２吹出口２１１bを開閉し、開閉部材２５が前方へ第２吹出口２１１bの前側まで移動したとき、開閉部材２５が第２吹出口２１１bを開く。これにより、開閉部材２５が前方へ第２吹出口２１１bの前側まで移動したとき、第２吹出口２１１bを開けて送風機能を実現することが分かる。開閉部材２５が後方へ第２吹出口２１１b又は第２吹出口２１１bの後側まで移動したとき、第２吹出口２１１bを閉じる。これにより、第２吹出口２１１bに対し一定の密閉の役割を果たし、室内の埃などの粒子が第２吹出口２１１bから空気調和機の室内機１００の内部に侵入することを防止する。
【００４９】
図８及び図１０に示すように、本願のいくつかの実施例によれば、第１パネル２１の頂部に間隔をあけて配置される複数の第１補強リブ２１４が設けられる。したがって、第１パネル２１の頂部の強度を高め、第１パネル２１の頂部とバックプレート部材１とが接続されるとき、バックプレート部材１に設けられる第１パネル２１の安定性も向上させ、空気調和機の室内機１００の信頼性を向上させることができる。
【００５０】
図１に示すように、本願のいくつかの実施例によれば、第１パネル２１の外観面は曲面に形成される。第１パネル２１の強度を高め、空気調和機の室内機１００の信頼性及び外観の美観を改善することができる。
【００５１】
以下、本発明の一具体的な実施例に係る空気調和機の室内機１００の構造について図面を参照しながら詳細に説明する。なお、以下の説明が例示に過ぎず、当業者は本願の以下の技術的解決手段を読んだ後、そのうちの技術的解決手段又は技術的特徴の一部を組み合わせ、置換又は修正することができ、これも本願により要求される保護範囲内にある。
【００５２】
図１及び図９に示すように、本願の実施例に係る空気調和機の室内機１００は床置型に構成される。空気調和機の室内機１００はバックプレート部材１、パネル部材２、トップカバー部材５、ファン２０、電気制御装置３０及び駆動機構４０を含む。
【００５３】
具体的には、パネル部材２がバックプレート部材１の前側に設けられ、かつバックプレート部材１と係合して接続される。
【００５４】
図１及び図４に示すように、パネル部材２は独立して成形された第１パネル２１及び第２パネル２２を含み、第１パネル２１と第２パネル２２とが取り外し可能に接続される。第１パネル２１及び第２パネル２２は上下方向に順次配列してそれぞれバックプレート部材１に接続される。
【００５５】
図８及び図２０に示すように、第１パネル２１の底部が後および下へ折り返されて接続板２１２を画定する。これにより、接続板２１２の前面及び第１パネル２１の前面が階段面に形成される。接続板２１２に間隔をあけて配置される２つの係止溝２１２bがあり、図５に示すように、接続板２１２の左右方向の両端にそれぞれガイドジャック２１２aが設けられる。図７に示すように、第２パネル２２の頂部の後面に、延在方向が第２パネル２２の延在方向と同一な固定板２２１が設けられ、固定板２２１の左右両端がそれぞれ前に折り返されてそれぞれ２つのガイドピン２２１aを画定し、ガイドピン２２１aは対応するガイドジャック２１２a内に挿入され、第１パネル２１と第２パネル２２との間の相対位置を位置決めしやすい。図７に示すように、固定板２２１の後面に間隔をあけて配置される２つの係合突起２２１bがあり、２つの係合突起２２１bは接続板２１２における２つの係止溝２１２bと１つずつ対応して設けられ、各係合突起２２１bが対応する係止溝２１２bと係合される。したがって、第２パネル２２が第１パネル２１における接続板２１２と係合して接続され、組み立てられた後、第２パネル２２の前壁面が第１パネル２１の前壁面と面一になることが分かる。第１パネル２１と第２パネル２２との係合による接続方式は簡単で、操作しやすく、取り外しやすいとともに、第１パネル２１及び第２パネル２２からなる外観面をより美観にすることができる。
【００５６】
図７、図２２及び図２３に示すように、第２パネル２２の後面下部に第１支持板２２３が設けられ、第１支持板２２３の延在方向と第２パネル２２の延在方向とが同一であり、第１支持板２２３に下へ延在する係合ピン２２３aが設けられる。図２３に示すように、第１支持板２２３の前面と第２パネル２２の後面との間にキャビティが設けられ、キャビティ内に複数の第２補強リブ２２４が設けられ、各第２補強リブ２２４の両端がそれぞれ第１支持板２２３、第２パネル２２に接続され、各第２補強リブ２２４における、第２パネル２２との接続位置に第１薄肉領域aが設けられる。第２補強リブ２２４と第２パネル２２との接続位置が射出成形中に収縮することを効果的に防止することができ、第２パネル２２の変形をさらに防止し、外観の美観性を改善し、第２パネル２２の全体的な強度を向上させるとともに、第２パネル２２射出成形の収量を高める。
【００５７】
図８及び図１０に示すように、第１パネル２１の後面頂部に第２支持板２１３が設けられ、第２支持板２１３の延在方向と第２パネル２２の延在方向とは同じである。第２支持板２１３の前面と第１パネル２１の後面との間にキャビティが設けられ、キャビティ内に複数の第１補強リブ２１４が設けられ、各第１補強リブ２１４の両端がそれぞれ第２支持板２１３、第１パネル２１に接続され、各第１補強リブ２１４における、第１パネル２１との接続位置に第２薄肉領域bが設けられる。
【００５８】
具体的には、図６及び図７に示すように、固定板２２１の前面と第２パネル２２の後面との間にキャビティが設けられ、キャビティ内に複数の第３補強リブ２２２が設けられ、各第３補強リブ２２２の両端がそれぞれ固定板２２１、第２パネル２２に接続され、図６に示すように、各第３補強リブ２２２における、第２パネル２２との接続位置に第３薄肉領域cが設けられる。したがって、第３補強リブ２２２と第２パネル２２との接続位置の射出成形工程で使用される材料の量をある程度減らすことができ、第３補強リブ２２２と第２パネル２２との接続位置の射出成形中の収縮現象を効果的に防止し、第２パネル２２の変形を防ぎ、外観の美観性を改善し、第２パネル２２の全体的な強度を向上させるとともに、第２パネル２２の射出成形の歩留まりを向上する。
【００５９】
図７に示すように、第２パネル２２の後面に間隔をあけて配置される複数の第４補強リブ２２７があり、第２パネル２２の構造強度及び信頼性を向上させ、空気調和機の室内機１００の信頼性を向上させることができる。
【００６０】
図８及び図１０に示すように、第１パネル２１の後面頂部に、バックプレート部材１に向かって延びている延在部２１５が設けられ、延在部２１５が２つあって第２支持板２１３の両端に設けられる。各延在部２１５の下端に位置決めコラム２１５aが設けられる。図１１及び図１２に示すように、バックプレート部材１の頂部に各位置決めコラム２１５aと対応する位置決め穴１１が設けられ、位置決めコラム２１５aが対応する位置決め穴１１内に挿入される。図１０に示すように、各延在部２１５に第１係合穴２１５bが設けられ、図１２に示すように、バックプレート部材１に第２係合穴１２が設けられ、第２係合穴１２が第１係合穴２１５bと正対して設置され、ねじが第１係合穴２１５b及び第２係合穴１２を貫通して第１パネル２１及びバックプレート部材１に接続される。
【００６１】
図８及び図１３に示すように、第１パネル２１の後面底部に、バックプレート部材１に向かって延びている位置決めピン２１６が設けられる。図４及び図１４に示すように、バックプレート部材１に位置決めジャック１３が設けられ、位置決めピン２１６が位置決めジャック１３内に挿入可能である。図１３に示すように、第１パネル２１に第３係合穴２１７が設けられ、第３係合穴２１７が位置決めピン２１６に近接して設けられ、図１４に示すように、バックプレート部材１に第４係合穴１４が設けられ、第４係合穴１４と第３係合穴２１７とが正対して設置され、ねじが第３係合穴２１７及び第４係合穴１４を貫通して第１パネル２１及びバックプレート部材１に接続される。
【００６２】
図８及び図１５に示すように、第１パネル２１の後面に係合フック２１８が設けられ、図１１及び図１２に示すように、バックプレート部材１に係合フック２１８を挿入可能な係合バックル１５が設けられる。具体的には、図１５に示すように、係合フック２１８は水平延在セクション２１８a及び鉛直延在セクション２１８bを含み、水平延在セクション２１８aの一端が第１パネル２１に設けられ、水平延在セクション２１８aの他端が鉛直延在セクション２１８bの上端に接続され、鉛直延在セクション２１８bの下端が係合バックル１５内に挿入可能である。さらに、係合バックル１５は、中空構造に形成されている。
【００６３】
図１１に示すように、空気調和機の室内機１００は吹出枠部材５０をさらに含み、吹出枠部材５０がバックプレート部材１に接続され、吹出枠部材５０にも係合バックル１５が設けられている。係合フック２１８は複数あってそのうちの１つがバックプレート部材１における係合バックル１５と係合され、他の係合フック２１８が吹出枠部材５０における係合バックル１５と係合される。
【００６４】
図４に示すように、空気調和機の室内機１００は底板３をさらに含み、バックプレート部材１が底板３の上方に位置して底板３に接続される。図１に示すように、第２パネル２２が底板３に設けられ、図４及び図７に示すように、底板３に係合ジャック３１が設けられ、第２パネル２２における係合ピン２２３aが係合ジャック３１内に挿入可能である。係合ピン２２３aは複数あって間隔をあけて設けられ、係合ジャック３１が複数あって複数の係合ピン２２３aと１つずつ対応して設けられている。これにより、第２パネル２２と底板３との相対位置を効果的に位置決めすることができ、第２パネル２２と底板３とを接続しやすい。同時に、バックプレート部材１、パネル部材２、底板３、保護カバー４及びトップカバー部材５は空気調和機の室内機１００のハウジング１０を構成することが分かる。  
【００６５】
図４及び図６に示すように、第２パネル２２の後面に、バックプレート部材１の方向に向かって延び、かつ間隔をあけて配置される２つの係合柱２２５があり、各係合柱２２５に第５係合穴２２５aが設けられ、図１６及び図１７に示すように、バックプレート部材１の前面に後方へ凹んだ係合溝１６が設けられ、各係合柱２２５が対応する係合溝１６内に挿入され、各第５係合穴２２５aが対応する係合溝１６内に位置し、各係合溝１６の側壁に第６係合穴１６aが設けられ、第６係合穴１６aがそれぞれバックプレート部材１の左側壁及び右側壁に位置する。図１８に示すように、バックプレート部材１の外周壁に内側へ凹んだ操作溝１７が設けられ、各第６係合穴１６aにより、対応して設けられる操作溝１７と係合溝１６が連通する。ねじが操作溝１７を貫通した後、対応して設けられた第５係合穴２２５aと第６係合穴１６aとを接続させ、ナットが操作溝１７の底壁に係止される。これにより、第２パネル２２とバックプレート部材１とを確実に接続させ、取り外しやすい。
【００６６】
図１４に示すように、空気調和機の室内機１００はさらに保護カバー４を含み、保護カバー４が操作溝１７に取り外し可能に設けられて操作溝１７の開口を開放又は閉鎖する。具体的には、保護カバー４と操作溝１７とは係合される。同時に保護カバー４の縁部に切欠き４１が設けられる。これにより、保護カバー４を操作溝１７から取り外しやすい。保護カバー４で操作溝１７を閉鎖したとき、保護カバー４の外壁面とバックプレート部材１の外壁面とは面一となる。したがって、空気調和機の室内機１００の外観を改善させた。
【００６７】
図７に示すように、第２パネル２２の後面に間隔をあけて配列する複数の接続ピン２２６が設けられ、図１１及び図１９に示すように、バックプレート部材１に複数の接続ジャック１８が設けられ、複数の接続ピン２２６と複数の接続ジャック１８とは１つずつ対応して設けられ、各接続ピン２２６が対応する接続ジャック１８内に挿入可能である。
【００６８】
図１及び図４に示すように、トップカバー部材５はそれぞれバックプレート部材１及びパネル部材２の上端に接続される。
【００６９】
図１に示すように、第１パネル２１に第１吹出口２１１a及び第２吹出口２１１bが設けられ、第１吹出口２１１a及び第２吹出口２１１bは上下方向に順次配列される。
【００７０】
図２に示すように、パネル部材２は開閉板取付板２３をさらに含み、開閉板取付板２３が第１パネル２１の後側に設けられ、開閉板取付板２３に開閉板２４が設けられ、開閉板２４が開閉板取付板２３に対して上下移動して第１吹出口２１１aを開閉する。開閉板２４が開閉板取付板２３に対して下へ移動するとき、開閉板２４が第１吹出口２１１aを開き、開閉板２４が開閉板取付板２３に対して上方へ移動するとき、開閉板２４が第１吹出口２１１aを閉じる。駆動機構４０は、駆動部材、駆動ギア４０１及びラック４０２を含む。駆動部材は開閉板取付板２３に設けられ、駆動ギア４０１が駆動部材と接続して駆動部材により回転され、ラック４０２が開閉板２４に接続され、ラック４０２と駆動ギア４０１とが噛み合って開閉板２４を移動させる。
【００７１】
図２に示すように、パネル部材２は開閉部材２５をさらに含み、開閉部材２５が前後に移動可能であり、第２吹出口２１１bを開閉し、開閉部材２５が前方へ第２吹出口２１１bの前側まで移動するとき、開閉部材２５が第２吹出口２１１bを開く。
【００７２】
空気調和機の室内機１００を組み立てるとき、まず第１パネル２１を開閉板取付板２３、開閉板２４及び開閉部材２５と一体に組み立てた後、バックプレート部材１に取り付け、第２パネル２２を底板３及びバックプレート部材１と係合して接続させる。
【００７３】
図９に示すように、ファン２０はハウジング１０内にあって第１パネル２１の後側に設けられる。ファン２０は２つあってそれぞれ第１ファン２０１及び第２ファン２０２であり、第１ファン２０１が二重反転ファンであり、第１ファン２０１が第１吹出口２１１aと対向配置されて第１吹出口２１１aに送風する。第２ファン２０２は第２吹出口２１１bと対向配置されて第２吹出口２１１bに送風する。
【００７４】
第１ファン２０１は前後方向に正対して設置される第１インペラー及び第２インペラーを含み、第１インペラーのブレードの傾斜方向と第２インペラーのブレードの傾斜方向とは反対であるため、第１インペラー及び第２インペラーは空気の流れ方向において互いに導翼であり、気流の接線方向の回転速度を低下（第１インペラー及び第２インペラーが異なる回転速度の場合）又は消去（第１インペラー及び第２インペラーが同じ回転速度の場合）（即ち動圧から静圧への変換）し、二重反転ファンの空気に対する仕事率を高め、２つのインペラーを通過する気流がいずれも第１吹出口２１１aの方向に向かって流れ、遠距離送風効果を達成する。なお、単一のクロスフローファン、軸流ファン又は対角流ファンと比べて、二重反転ファンにおける第１インペラー及び第２インペラーが異なる速度で反対回転するか、同じ速度で反対回転するかに関わらず、二重反転ファンがより遠距離の送風を実現することができる。
【００７５】
さらに、第１インペラー及び第２インペラーは異なる回転速度で、冷風の送風範囲を広めることができる。一方のインペラーが高速で回転し、他方のインペラーが低速で回転する場合、高速のインペラーが主導的な役割を果たし、単一の軸流又は対角流ファンのブレードの、気流出口角度が回転軸の方向とずれて設計されていることで、軸流インペラー又は対角流インペラー自体が気体分散効果を持ち、したがって、第１吹出口２１１aから吹き出した冷風の角度範囲が大きくなり、広範囲の送風を実現した。また、軸流インペラー又は対角流インペラー自体が気体分散効果を持つため、必要に応じて第１インペラー及び第２インペラーの回転速度を調整し、異なる速度で回転させることができ、これにより、柔らかい風又は無風感送風を実現し、冷風が第１吹出口２１１aから吹き出された後、ユーザーに直接に当たってユーザーに不快感をもたらすことを避ける。したがって、本願の実施例に係る空気調和機の室内機１０００は微孔付きのウインドデフレクターを使用せずに、柔らかい風又は無風感送風を実現することができ、風量損失が少ない。なお、広範囲送風及び無風感送風を実現するために、一方のインペラーのモータを動作させず、他方のインペラーが第１吹出口２１１aの一側へ順方向に送風してもよい。また、広範囲送風及び無風感送風を実現するために、一方のインペラーがハウジング１０の内側へ逆方向に送風し、他方のインペラーが依然として順方向に送風してもよい。ここで、「順方向送風」はインペラーの作用で気流を第１吹出口２１１aから吹き出し、「逆方向送風」は気流をハウジング１０の内側へ吹き込むことを指す。
【００７６】
電気制御装置３０はハウジング１０内に設けられ、電気制御装置３０は、空気調和機の室内機１００の動作状態を制御するように、第１ファン２０１及び第２ファン２０２に接続される。電気制御装置３０は第２パネル２２の後側に設けられる。したがって、電気制御装置３０の修理の場合には、第１パネル２１を取り外す必要がなく、第２パネル２２を取り外すだけでよい。
【００７７】
本願の実施例に係る空気調和機の室内機の１００の他の構成及び操作は、当業者に知られており、ここで詳細な説明を省略する。
【００７８】
本願の説明において、「上」、「下」、「前」、「後」、「左」、「右」、「鉛直」、「水平」、「頂部」、「底部」、「内側」、「外側」などの用語で示される方位又は位置関係は、図面に示される方位又は位置関係に基づくものであり、本願の説明及び説明の簡単化のために過ぎず、示される装置又は要素が特定方位を有したり、特定方位で構成又は操作されたりすることを指示又は示唆するものではなく、よって、本願に対する限定としては理解されない。また、「第１」及び「第２」によりで限定される特徴は、１つ以上のこの特徴を明示的に、あるいは黙示的に有してもよい。本願の説明において、「複数」は、特に明記しない限り２つ又は２つ以上と意味する。  
【００７９】
本願の説明において、明確に指定又は限定しない限り、「取り付け」、「連結」、「接続」という用語は、広義で理解すべきであり、たとえば、固定接続してもよく、取り外し可能に接続してもよく、又は一体に接続してもよく、機械的又は電気的に接続してもよく、直接接続してもよく、中間媒体を介して間接的に接続してもよく、２つの要素の内部が連通してもよい。当業者であれば、具体的な状況に応じて上記用語の本願における具体的な意味を理解し得る。
【００８０】
本明細書の説明においては、「一実施例」、「いくつかの実施例」、「例示的な実施例」、「例」、「具体的な例」、又は「いくつかの例」などの用語を参照した説明は、該実施例又は例を参照しながら説明した特定の性質、構造、材料又は特徴が、本願の少なくとも１つの実施例又は例に含まれることを意味している。本明細書において、上記用語の模式的な表現は同じ実施例又は例に、必ずしも言及しているというわけではない。また、説明した特定の性質、構造、材料又は特徴は任意の１つ又は複数の実施例又は例において、適切な方法で組み合わせてもよい。
【００８１】
以上、本願の実施例を例示して説明したが、当業者であれば、本願の原理及び趣旨から逸脱せずに、これらの実施例に対して様々な変更、修正、置換や変形を行うことができ、本願の範囲が、特許請求の範囲およびその均等物によって定義されると理解されたい。
【符号の説明】
【００８２】
１００  空気調和機の室内機、
１０  ハウジング、
１  バックプレート部材、
１１  位置決め穴、１２  第２係合穴、１３  位置決めジャック、１４  第４係合穴、１５  係合バックル、１６  係合溝、１６a  第６係合穴、１７  操作溝、１８  接続ジャック、
２  パネル部材、
２１  第１パネル、２１１a  第１吹出口、２１１b  第２吹出口、２１２  接続板、２１２a  ガイドジャック、２１２b  係止溝、２１３  第２支持板、２１４  第１補強リブ、b  第２薄肉領域、２１５  延在部、２１５a  位置決めコラム、２１５b  第１係合穴、２１６  位置決めピン、２１７  第３係合穴、２１８  係合フック、２１８a  水平延在セクション、２１８b  鉛直延在セクション、
２２  第２パネル、２２１  固定板、２２１a  ガイドピン、２２１b  係合突起、２２２  第３補強リブ、c  第３薄肉領域、２２３  第１支持板、２２３a  係合ピン、２２４  第２補強リブ、a  第１薄肉領域、２２５  係合柱、２２５a  第５係合穴、２２６  接続ピン、２２７  第４補強リブ、
２３  開閉板取付板、２３１  ガイド溝、２３１a  第１ガイド部、２３１b  第２ガイド部、
２４  開閉板、２４１  ガイドコラム、
２５  開閉部材、
３  底板、３１  係合ジャック、４  保護カバー、４１  切欠き、５  トップカバー部材、６  位置制限接続部材、
２０  ファン、２０１  第１ファン、２０２  第２ファン、
３０  電気制御装置、
４０  駆動機構、４０１  駆動ギア、４０１a  駆動ギア、４０１b  従動ギア、４０２  ラック、
５０  吹出枠部材。
【図１】
2021519903.tif 000003
【図２】
2021519903.tif 000004
【図３】
2021519903.tif 000005
【図４】
2021519903.tif 000006
【図５】
2021519903.tif 000007
【図６】
2021519903.tif 000008
【図７】
2021519903.tif 000009
【図８】
2021519903.tif 000010
【図９】
2021519903.tif 000011
【図１０】
2021519903.tif 000012
【図１１】
2021519903.tif 000013
【図１２】
2021519903.tif 000014
【図１３】
2021519903.tif 000015
【図１４】
2021519903.tif 000016
【図１５】
2021519903.tif 000017
【図１６】
2021519903.tif 000018
【図１７】
2021519903.tif 000019
【図１８】
2021519903.tif 000020
【図１９】
2021519903.tif 000021
【図２０】
2021519903.tif 000022
【図２１】
2021519903.tif 000023
【図２２】
2021519903.tif 000024
【図２３】
2021519903.tif 000025
【国際調査報告】
2021519903.tif 000026
2021519903.tif 000027
2021519903.tif 000028
2021519903.tif 000029